【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
画像データに応じて光を照射する光源と、
複数の反射面を有し、前記光源から照射された光を回転しながら偏向することで、感光体を走査する回転多面鏡と、
前記回転多面鏡により偏向された光を検知して第１信号を出力する検知手段と、
前記第１信号に基づき、主走査方向の画像の書き出しを制御するための主走査同期信号である第２信号を生成する生成手段と、を備え、
前記第２信号は、前記複数の反射面のうち特定の第１の反射面に対応する第１波形と、前記第１波形とは異なる波形であって、前記第１の反射面とは異なる第２の反射面に対応する第２波形と、を有する信号であることを特徴とする画像形成装置。
【請求項２】
前記複数の反射面のうち前記第１の反射面を特定する特定手段、を備えることを特徴とする請求項１に記載の画像形成装置。
【請求項３】
前記特定手段は、前記第１信号の周期に基づき前記第１の反射面及び前記第２の反射面を特定することを特徴とする請求項２に記載の画像形成装置。
【請求項４】
前記生成手段は、前記第１信号における信号が変化する周期と、前記第２信号における信号が変化する周期が同じとなるように、前記第２信号を生成することを特徴とする請求項１ないし３のいずれか１項に記載の画像形成装置。
【請求項５】
前記第２信号を送信する送信手段と、
前記送信手段により送信された前記第２信号を受信する受信手段と、
前記第２信号から前記回転多面鏡の複数の反射面を示す情報を抽出する抽出手段と、
を有することを特徴とする請求項１ないし４のいずれか一項に記載の画像形成装置。
【請求項６】
前記抽出手段によって抽出された結果に基づき、前記特定の第１の反射面を基準として前記回転多面鏡の複数の反射面のいずれの反射面により光が反射されるかに応じて画像データを補正する補正手段、を備えることを特徴とする請求項５に記載の画像形成装置。
【請求項７】
前記補正手段は、前記画像データを補正することで、前記感光体に照射される光の照射位置を補正することを特徴とする請求項６に記載の画像形成装置。
【請求項８】
前記複数の反射面それぞれに対応した補正データを記憶する記憶手段と、
前記補正手段により補正された画像データに基づき前記光源を駆動する駆動手段と、を備え、
前記補正手段は、前記抽出手段により抽出された結果に基づき、前記特定の第１の反射面を基準として前記複数の反射面それぞれに対応した補正データを読み出し、前記画像データを補正することを特徴とする請求項６または７に記載の画像形成装置。
【請求項９】
前記補正手段は、前記第２信号に基づき各主走査ラインごとの前記画像データの出力を開始することを特徴とする請求項６ないし８のいずれか一項に記載の画像形成装置。
【請求項１０】
前記生成手段は、前記第１信号に基づき前記光を検知したタイミングを示す第３信号を生成し、前記第３信号を前記第１の反射面かどうかに応じて変形して前記第２信号を生成することを特徴とする請求項１ないし９のいずれか一項に記載の画像形成装置。
【請求項１１】
前記生成手段は、前記第１信号に基づき前記光を検知したタイミングを示す第３信号を生成し、前記第３信号に前記第１の反射面を示す第４信号を重畳することで前記第２信号を生成することを特徴とする請求項１ないし９のいずれか一項に記載の画像形成装置。
【請求項１２】
前記生成手段は、前記第２信号であるパルス信号の立下りから立ち上がりまで又は立ち上がりから立下りまでの期間を、前記第１の反射面に応じて変形することを特徴とする請求項１ないし１１のいずれか一項に記載の画像形成装置。
【請求項１３】
前記生成手段は、前記第１の反射面と、前記第２の反射面とを識別できるように、前記第１の反射面を示す前記パルス信号の立下りから立ち上がりまで又は立ち上がりから立下りまでの第一期間と、前記第２の反射面を示す前記パルス信号の立下りから立ち上がりまで又は立ち上がりから立下りまでの第二期間と、を異ならしめることを特徴とする請求項１２に記載の画像形成装置。
【請求項１４】
前記生成手段は、前記複数の反射面のそれぞれを識別できるように、反射面ごとに前記パルス信号の立下りから立ち上がりまで又は立ち上がりから立下りまでの期間を異ならしめることを特徴とする請求項１２に記載の画像形成装置。
【請求項１５】
前記生成手段は、前記第２信号であるパルス信号のパルス数を、前記第１の反射面に応じて変形することを特徴とする請求項１ないし１１のいずれか一項に記載の画像形成装置。
【請求項１６】
前記生成手段は、前記第１の反射面と、前記第２の反射面とを識別できるように、前記第１の反射面を示すパルス数と、前記第２の反射面を示すパルス数を異ならしめることを特徴とする請求項１５に記載の画像形成装置。
【請求項１７】
前記生成手段は、前記複数の反射面のそれぞれを識別できるように、反射面ごとにパルス数を異ならしめることを特徴とする請求項１６に記載の画像形成装置。
【請求項１８】
前記生成手段は、前記画像形成装置の画像形成速度が第一速度よりも低い第二速度に変更されると、前記第二速度に応じて前記第２信号を間引くことで前記第１信号の数よりも少ない数の信号を出力することを特徴とする請求項１ないし１７のいずれか一項に記載の画像形成装置。
【請求項１９】
前記生成手段および前記送信手段を有する第一コントローラと、
前記受信手段、前記抽出手段を有する第二コントローラと、をさらに備え、
前記送信手段と前記受信手段とは前記第２信号を通信するための信号線により接続されていることを特徴とする請求項５に記載の画像形成装置。
【請求項２０】
主走査同期信号を送信する第一コントローラと、
主走査同期信号をトリガーとして画像データを出力する第二コントローラと、
を有し、
前記第一コントローラは、回転多面鏡が備える複数の複数の反射面のうち特定の第１の反射面に対応する第１波形と、前記第１波形とは異なる波形であって、前記第１の反射面とは異なる第２の反射面に対応する第２波形と、を有する主走査同期信号を前記第二コントローラに送信することを特徴とする画像形成装置。
【請求項２１】
画像データに応じて光を照射する光源と、複数の反射面を有し、前記光源から照射された光を回転しながら偏向することで、感光体を走査する回転多面鏡と、前記回転多面鏡により偏向された光を検知することに応じた第１信号を出力する検知手段と、を有する走査装置を制御するコントローラであって、
前記第１信号に基づき、主走査方向の画像の書き出しを制御するための主走査同期信号である第２信号を生成する生成手段と、を備え、
前記第２信号は、前記複数の反射面のうち特定の第１の反射面に対応する第１波形と、前記第１波形とは異なる波形であって、前記第１の反射面とは異なる第２の反射面に対応する第２波形と、を有する信号であることを特徴とするコントローラ。
【請求項２２】
画像データに応じて光を照射する光源と、複数の反射面を有し、前記光源から照射された光を回転しながら偏向することで、感光体を走査する回転多面鏡と、前記回転多面鏡により偏向された光を検知することに応じた第１信号を出力する検知手段と、を有する走査装置によって形成される画像のもととなる前記画像データを生成するコントローラであって、
前記走査装置を制御する他のコントローラにおいて、前記第１信号に基づき生成された主走査方向の画像の書き出しを制御するための主走査同期信号である第２信号であって、前記複数の反射面のうち特定の第１の反射面に対応する第１波形と、前記第１波形とは異なる波形であって、前記第１の反射面とは異なる第２の反射面に対応する第２波形と、を有する前記第２信号を受信する受信手段と、
前記第２信号から前記回転多面鏡の複数の反射面を示す情報を抽出する抽出手段と、
を有することを特徴とするコントローラ。
【手続補正２】
【補正対象書類名】明細書
【補正対象項目名】０００５
【補正方法】変更
【補正の内容】
【０００５】
本発明によれば、たとえば、
画像データに応じて光を照射する光源と、
複数の反射面を有し、前記光源から照射された光を回転しながら偏向することで、感光体を走査する回転多面鏡と、
前記回転多面鏡により偏向された光を検知して第１信号を出力する検知手段と、
前記第１信号に基づき、主走査方向の画像の書き出しを制御するための主走査同期信号である第２信号を生成する生成手段と、を備え、
前記第２信号は、前記複数の反射面のうち特定の第１の反射面に対応する第１波形と、前記第１波形とは異なる波形であって、前記第１の反射面とは異なる第２の反射面に対応する第２波形と、を有する信号であることを特徴とする画像形成装置が提供される。